(57)【特許請求の範囲】
【請求項１】
装置本体下部に給紙カセットを着脱自在に備えると共に、前記装置本体下部側面に前記装置本体を運搬するための指掛け開口部を備える画像形成装置において、
前記指掛け開口部は、前記給紙カセットが前記装置本体下部に装着された際に該給紙カセットの側面に対向する位置に形成され、
前記給紙カセットは、前記指掛け開口部が対向する位置にカセット側指掛け空間部を備えた、
ことを特徴とする画像形成装置。
【請求項２】
装置本体下部側面に該装置本体を運搬するための指掛け開口部を備えた画像形成装置に着脱自在な給紙カセットにおいて、
前記画像形成装置本体に装着された際に、前記指掛け開口部に対向する位置にカセット側指掛け空間部を備える、
ことを特徴とする給紙カセット。
【請求項３】
前記カセット側指掛け空間部は、前記給紙カセットに最大サイズの用紙が収容されたとき用紙後端位置を規制する規制部材が退避する部位の前記画像形成装置本体に対する前後に形成される、ことを特徴とする請求項２記載の給紙カセット。
【発明の詳細な説明】
【技術分野】
【０００１】
本発明は、装置本体の設置面積を可及的に小さくした画像形成装置及びその給紙カセットに関する。
【背景技術】
【０００２】
従来、装置本体の下部にある給紙カセット装着部に対し給紙カセットを抜き差しする構成の比較的小型の画像形成装置が知られている。比較的小型という意味は、例えば事務机程度の大きさのテーブル上に載置可能な大きさという意味である。
【０００３】
このような大きさの画像形成装置では、工場からオフイスに搬入して新たに設置するとき又は従来から使用していた設置場所から移動させる場合には、例えば二人掛かりで装置本体の両脇にある取っ手を持って移動させる。
【０００４】
そのようなときのために、少ないスペースを有効に活用し、簡単な構成で運搬者の手の滑りを確実に防止する取っ手を備える画像形成装置が提案されている。（例えば、特許文献１参照。）
【０００５】
また、プリンタや複写機等の電子機器の運搬時に、下方に連結されている増設ユニットを同時に運搬しようとして上部の電子機器を落下させる不具合を防止するために、下部の増設ユニットの筐体の取っ手に指を掛けることを禁止する防止装置を備えた増設ユニットを持つ装置が提案されている。（例えば、特許文献２参照。）
【先行技術文献】
【特許文献】
【０００６】
【特許文献１】特開２００５−１８９７５２号公報
【特許文献２】特開２００７−１０６０３４号公報
【発明の概要】
【発明が解決しようとする課題】
【０００７】
ところで、特許文献１の画像形成装置の取っ手の構成をみると、装置本体の前面側と後面側に、装置本体の筐体をえぐるように取っ手への指挿入領域が形成されている。
【０００８】
この指挿入領域が形成されている位置の装置本体の内部には、種々の内部装置や部材が配設されている。したがって、取っ手構造の領域は、内部装置や部材との干渉を避けるため、内部装置や部材から外部に離れる方向に、又は内部装置や部材の間隙に配置する必要がある。
【０００９】
取っ手構造の領域を内部装置や部材から外部に離れる方向に設けるのは、装置本体が大型化する。また、取っ手構造の領域を内部装置や部材の間隙に配置するのは、持ち易さに難のある位置にしか取っ手構造を配置できない、又は設計に大きな制約が加わる。いずれにしても特許文献１には設置面積を小さくするという配慮は見られない。
【００１０】
また、特許文献２の増設ユニットを持つ装置は、同じく電子機器の運搬用の取っ手についての提案であるが、親の電子機器と増設ユニットとを個別に運搬するよう強制するものであって、設置面積を小さくするという特段の配慮は見られない。
【００１１】
ところが、近年、画像形成装置（画像形成装置）に限らずオフイスに設置される電子機器は、その設置面積が小さければ小さいほど好ましいとされる。一方、運搬用の取っ手の開口部は、手掛かりを確実にするために十分な奥行きを必要とする。
【００１２】
このため運搬用の取っ手の開口部は、装置本体を大型化する要因となる半面、運搬時以外は、常には必要としない不要な機能部分であるという他の面もある。ここに、設計に特段の制約を加えることなく簡単な構成で、運搬用の取っ手の開口部による装置本体の大型化を可及的に抑止しなければならないという課題がある。
【００１３】
本発明は、上記従来の課題を解決するものであって、装置本体を運搬するための指掛け開口部の取っ手領域を、装置本体側と内部部材側とに分散させて装置本体の設置面積を可及的に小さくした画像形成装置及びその給紙カセットを提供することを目的とする。
【課題を解決するための手段】
【００１４】
上記課題を解決するために、本発明の画像形成装置は、装置本体下部に給紙カセットを着脱自在に備えると共に、上記装置本体下部側面に上記装置本体を運搬するための指掛け開口部を備える画像形成装置において、上記指掛け開口部は、上記給紙カセットが上記装置本体下部に装着された際に該給紙カセットの側面に対向する位置に形成され、上記給紙カセットは、上記指掛け開口部が対向する位置にカセット側指掛け空間部を備えた、ことを特徴とする。
【発明の効果】
【００１５】
本発明は、装置本体を運搬するための指掛け開口部の取っ手領域を装置本体側と装置本体に装着される内部部材側とに分散させて設けるので、装置本体の設置面積を可及的に小さくした画像形成装置及びその給紙カセットを提供することが可能となる。
【図面の簡単な説明】
【００１６】
【図１】本発明の実施例１に係る運搬用の指掛け開口部を備えたフルカラーの画像形成装置（プリンタ）の外観斜視図である。
【図２】実施例１に係るプリンタの内部構成を説明する断面図である。
【図３】実施例１に係るプリンタの下方の給紙カセットの左端部（給紙端に対して反対側端部）の形状と装置本体左端部の形状を示す図である。
【図４】下方の給紙カセットの平面図を、二点鎖線で仮想的に示す装置本体筐体の外郭とハッチングで仮想的に示す指掛け開口部の取っ手領域の輪郭と共に示す図である。
【図５】実施例１のプリンタとの比較のため従来型の給紙カセットの平面図を、二点鎖線で仮想的に示す装置本体筐体の外郭とハッチングで仮想的に示す指掛け開口部の取っ手領域の輪郭と共に示す図である。
【図６】実施例２に係るプリンタの下方の給紙カセットの左端部（給紙端に対して反対側端部）の形状と装置本体左端部の形状を示す図である。
【発明を実施するための形態】
【００１７】
以下、本発明の実施の形態について、図面を参照しながら詳細に説明する。
【実施例１】
【００１８】
図１は、本発明の実施例１に係る運搬用の指掛け開口部を備えたフルカラーの画像形成装置（プリンタ）の外観斜視図である。図１に示すように、プリンタ１は、前方に前扉２を備え、前扉２の下方には２個の給紙カセット３（３ａ、３ｂ）が装着されている。
【００１９】
２個の給紙カセット３（３ａ、３ｂ）は、それぞれ取っ手４を備え、これらの取っ手４により、詳しくは後述する装置本体側の案内レールに沿って位置決めされながら、装置本体の前方方向に抜き差しして装着部に対し着脱される。
【００２０】
また、プリンタ１は、上面右方に操作パネル５が配設され、更に画像形成媒体（以下単に「用紙」という）の排紙部６が形成されている。
【００２１】
操作パネル５は、特には番号を付して明示しないが複数のキーが配設されたキー操作部と、不図示の制御部から出力される表示情報に基づき表示を行う液晶ディスプレイで構成されている。
【００２２】
排紙部６の右端部上方には、排紙口７と、この排紙口７に配置された排紙ローラ８が設けられている。排紙ローラ８は後述する画像形成ユニットによりカラー画像を形成された用紙を、排紙口７から順次排出して排紙部６上に積載する。
【００２３】
また、プリンタ１の左側面の下部には、前後の二箇所に装置本体（プリンタ１）を運搬するための指掛け開口部９が形成されている。この指掛け開口部９については、詳しくは後述する。
【００２４】
図２は、上記外観を有する実施例１に係るプリンタ１の内部構成を説明する断面図である。同図に示すように、プリンタ１は、画像形成部１１、ベルトユニット１２、両面印刷用搬送ユニット１３、給紙部１４、及び定着部１５で構成されている。
【００２５】
上記画像形成部１１は、同図の右から左へ４個の画像形成ユニット１６（１６Ｍ、１６Ｃ、１６Ｙ、１６Ｋ）を多段式に並設した構成からなる。画像形成ユニット１６Ｋは、主として文字や画像の暗黒部分等に用いられるブラック（Ｋ）トナーによるモノクロ画像を形成する。
【００２６】
また、上記４個の画像形成ユニット１６のうち上流側（図の右側）の３個の画像形成ユニット１６Ｍ、１６Ｃ及び１６Ｙは、それぞれ減法混色の三原色であるマゼンタ（Ｍ）、シアン（Ｃ）、イエロー（Ｙ）の色トナーによるモノカラー画像を形成する。
【００２７】
上記の各画像形成ユニット１６は、トナー容器（トナーカートリッジ）に収納されたトナーの色を除き全て同じ構成である。したがって、以下ブラック（Ｋ）用の画像形成ユニット１６Ｋを例にしてその構成を説明する。
【００２８】
画像形成ユニット１６は、最下部に感光体ドラム１７を備えている。この感光体ドラム１７は、その周面が例えば有機光導電性材料で構成されている。
【００２９】
この感光体ドラム１７の周面に接して又は近傍を取り巻いて、クリーナ１８、帯電ローラ１９、光書込ヘッド２１、及び現像器２２の現像ローラ２３が配置されている。
【００３０】
現像器２２は、上部のトナー容器に同図にはＭ、Ｃ、Ｙ、Ｋで示すようにマゼンタ（Ｍ）、シアン（Ｃ）、イエロー（Ｙ）、ブラック（Ｋ）のいずれかのトナーを収容し、中間部には下部へのトナー補給機構を備えている。
【００３１】
また、現像器２２の下部には側面開口部に上述した現像ローラ２３を備え、内部にはトナー撹拌部材、現像ローラ２３にトナーを供給するトナー供給ローラ２４、現像ローラ２３上のトナー層を一定の層厚に規制するドクターブレード等を備えている。
【００３２】
ベルトユニット１２は、本体装置のほぼ中央で図の左右のほぼ端から端まで扁平なループ状になって延在する無端状の転写ベルト２５と、この転写ベルト２５を掛け渡されて転写ベルト２５を図の反時計回り方向に循環移動させる駆動ローラ２６と従動ローラ２７を備えている。
【００３３】
上記の転写ベルト２５は、トナー像を直接ベルト面に転写（一次転写）されて、そのトナー像を更に用紙に転写（二次転写）すべく用紙への転写位置まで搬送するので、ここではユニット全体を中間転写ベルトユニットと言っている。
【００３４】
このベルトユニット１２は、上記扁平なループ状の転写ベルト２５のループ内にベルト位置制御機構２８を備えている。ベルト位置制御機構２８は、転写ベルト２５を介して感光体ドラム１７の下部周面に押圧する導電性発泡スポンジから成る一次転写ローラ２９を備えている。
【００３５】
ベルト位置制御機構２８は、マゼンタ（Ｍ）、シアン（Ｃ）及びイエロー（Ｙ）の３個の画像形成ユニット１６Ｍ、１６Ｃ及び１６Ｙに対応する３個の一次転写ローラ２９を鉤型の支持軸を中心に同一周期で回転移動させる。
【００３６】
そして、ベルト位置制御機構２８は、ブラック（Ｋ）の画像形成ユニット１６Ｋに対応する１個の一次転写ローラ２９を上記３個の一次転写ローラ２９の周期と異なる回転移動周期で回転移動させて転写ベルト２５を感光体ドラム１７から離接させる。
【００３７】
すなわち、ベルト位置制御機構２８は、ベルトユニット１２の転写ベルト２５の位置を、フルカラーモード（４個全部の一次転写ローラ２９が転写ベルト２５に当接）、モノクロモード（画像形成ユニット１６Ｋに対応する一次転写ローラ２９のみが転写ベルト２５に当接）、及び全非転写モード（４個全部の一次転写ローラ２９が転写ベルト２５から離れる）に切換える。
【００３８】
上記のベルトユニット１２には、上面部のベルト移動方向最上流側の画像形成ユニット１６Ｍの更に上流側に、ベルトクリーニング部３１が配置されている。また、ベルトユニット１２の下面部に沿い付けて、平らで薄型の廃トナー回収容器３２が着脱自在に配置されている。
【００３９】
ベルトクリーニング部３１と廃トナー回収容器３２は、特には図示しないが、一時貯留部、廃トナー搬送スクリュー、及び落下筒を介して連結されている。
【００４０】
給紙部１４は、図１にも示した上下２段に配置された２個の給紙カセット３（３ａ、３ｂ）を備えている。２個の給紙カセット３の給紙口（図の右方）近傍には、それぞれ用紙取出ローラ３３、給送ローラ３４、捌きローラ３５、待機搬送ローラ対３６が配置されている。
【００４１】
待機搬送ローラ対３６の用紙搬送方向（図の鉛直上方向）には、転写ベルト２５を介して従動ローラ２７に圧接する二次転写ローラ３７が配設されている。これら転写ベルト２５、従動ローラ２７及び二次転写ローラ３７により、用紙への二次転写部が形成されている。
【００４２】
この二次転写部の下流（図では上方）側にはベルト式熱定着ユニットからなる前述した定着部１５が配置されている。定着部１５の更に下流側には、定着後の用紙を定着部１５から搬出する搬出ローラ対３８、搬出される用紙を装置上面に形成されている排紙トレー３９に排紙する排紙ローラ対４１が配設されている。
【００４３】
両面印刷用搬送ユニット１３は、外面（図の右方外側面）がプリンタ１の右側面カバーとしての開閉部材を兼ねている。両面印刷用搬送ユニット１３は、搬出ローラ対３８と排紙ローラ対４１との中間部の搬送路から図の右横方向に分岐した返送路を備えている。
【００４４】
この返送路は、開始返送路４２ａ、下方に曲がる中間返送路４２ｂ、左横方向に曲がって最終的に返送用紙を反転させる終端返送路４２ｃ、及びこれら返送路の途中に配置された４組の返送ローラ対４３ａ、４３ｂ、４３ｃ、４３ｄを備えている。
【００４５】
上記終端返送路４２ｃの出口は、給紙部１４の下方の給紙カセット３ｂに対応する待機搬送ローラ対３６への搬送路に連絡している。
【００４６】
このプリンタ１は、図２に示したように、画像形成ユニット１６から用紙に直接トナー像を転写する方式ではなく、待機搬送ローラ対３６により二次転写部まで鉛直方向に搬送される用紙に中間転写ベルト２５を介してトナー像を二次転写する方式となっている。
【００４７】
したがって、用紙ジャム等の不具合はキット類の配設部では発生しないので、図２の左側に集中するキット類などの消耗品の着脱の操作は、図１に示す前扉２を開いて、キット類を装置本体の前後方向に入れ替え操作するだけで良いように構成されている。
【００４８】
これにより、キット間の寸法は、可及的に縮小されており、装置本体全体の小型化、特に横幅の小型化が図られている。また、光書込みヘッド自体も小型化され、感光体ドラムに、より近接している構成となっている。
【００４９】
ここで本例のプリンタ１では、更なる横幅の小型化が図られている。以下、これについて説明する。
図３は、図１及び図２に示した２個の給紙カセット３の下方の給紙カセット３ｂの左端部（給紙端に対して反対側端部）の形状と、装置本体左端部の形状を示す図である。
【００５０】
図３に示すように、装置本体の筐体４４の内部には、筐体４４の内面に密着して筐体フレーム４５が形成されている。装置本体の最下端部には図１に示した指掛け開口部９が形成されている。
【００５１】
指掛け開口部９の内側の上部には、垂直の筐体フレーム４５の下部を内側に直角に曲げた張出部４５ａの下面に密着して、指掛け取っ手４８が形成されている。
【００５２】
筐体フレーム４５の内面には、指掛け開口部９の上方において、断面が逆コの字形の案内溝４６が形成されている。この案内溝４６に、給紙カセット３ｂの２本の着脱係合レール４７が係合している。
【００５３】
給紙カセット３ｂの左側面外装部５０は、２本の着脱係合レール４７より下方の中央部の、後述する用紙左端部規制部材が最左端部に在るときの位置に対応する外装部分の前後において、指掛け開口部９に対向する部分が切り欠かれて、切り欠き部５１が形成されている。
【００５４】
この切り欠き部５１の奥方向（図の右方向）の空間５２は、詳しくは更に後述するが、上記の用紙左端部規制部材（以下、縦規制部材ともいう）が最左端部に在るときの左端中央内装部５３と前後の外装部との間の空き領域に当たる部分である。
【００５５】
作業者が装置本体を持ち運ぶときは、作業者は、指掛け開口部９に手を差し入れて、手のひら又は指の根元を指掛け取っ手４８に掛け、指を切り欠き部５１より奥の空間５２に差し入れて指先を曲げることにより、装置本体を確実に持ち上げることができる。
【００５６】
図４は給紙カセット３ｂの平面図を、二点鎖線で仮想的に示す装置本体筐体４４の外郭とハッチングで仮想的に示す指掛け開口部９の取っ手領域の輪郭と共に示す図である。
【００５７】
尚、図４では、断面図であるため、指掛け開口部９よりも上方に配置される図３に示した案内溝４６と着脱係合レール４７は見えない。この給紙カセット３ｂの用紙収納面の大きさは本例の最大サイズのＡ３判用紙を長手方向に搬送可能に収納する大きさである。
【００５８】
給紙カセット３ｂにＡ３判よりも小サイズのＢ４判、Ａ４判、Ｂ５判等の用紙が収容されるときは、用紙の搬送方向の横方向（装置本体に対して前後方向、図の上下方向）に対してはカセット右方の前後に２つある横規制部材５４が移動して用紙の位置を規制する。
【００５９】
また、用紙の搬送方向の縦方向に対する規制は、搬送方向前端部は給紙カセット３ｂの右側内装部５５の内面によって規制される。そして、用紙の搬送方向後端部は縦規制部材（用紙左端部規制部材）５６によって位置決めされて位置を規制される。
【００６０】
図４に示す縦規制部材５６の位置は、Ａ４判用紙を横向に搬送するように給紙カセット３ｂに収容したときの、用紙の搬送方向後端部の規制位置である。
【００６１】
給紙カセット３ｂにプリンタ１で使用可能な最大サイズのＡ３判用紙を収容したときは、用紙の搬送前方向横位置はカセット右方の横規制部材５４により規制され、搬送後方向横位置はカセット左端の前後の内装部５７（５７ａ、５７ｂ）の内面により規制される。
【００６２】
そして、最大サイズのＡ３判用紙に対する搬送方向前端部位置は給紙カセット３ｂの右側内装部５５の内面によって規制される。また、搬送方向後端部位置は給紙カセット３ｂの左端両脇内装部５８（５８ａ、５８ｂ）の内面により規制される。
【００６３】
このとき、縦規制部材５６は、給紙カセット３ｂの左端中央に形成されている左端中央内装部５３により形成される退避位置５９まで後退して退避する。
【００６４】
給紙カセット３ｂの左端中央内装部５３は、縦規制部材５６が、左端両脇内装部５８（５８ａ、５８ｂ）で位置規制されたＡ３判用紙の後端部（図では左端部）よりも更に左方に移動して退避する場所であるので、給紙カセット３ｂの内装の最左端部となっている。
【００６５】
この左端中央内装部５３は、最大サイズの用紙収容時に縦規制部材５６が退避する場所であるので給紙カセット３ｂにとっては必須の構成領域であるが、縦規制部材５６が退避するだけの場所であるので大きな空間領域は必要がない。
【００６６】
したがって、左端中央内装部５３の前後には、内装部と外装部との間に空間５２が形成される。この空間５２はカセット本来の給紙機能を損なうものではない。この空間５２に、図３に示す外装部の切り欠き部５１を介して指掛け開口部９を連通させる。
【００６７】
このように、本例のプリンタ１では、装置本体を運搬するための指掛け開口部９の取っ手領域の有効領域を、装置本体側の取っ手４８と内部部材である給紙カセット３ｂ側の空間５２とに分散して形成する。
【００６８】
したがって、本来であれば給紙カセット３ｂの左端面外装部５０より左外側に配置すべき指掛け開口部９の取っ手領域（指掛け取っ手４８と空間５２）を、約１／２を給紙カセット３ｂ側の空間５２に分散して配置するので、その分だけ装置本体の横幅が減少する。
【００６９】
すなわち、給紙カセット３ｂの左端面外装部５０と装置本体筐体４４との間隙ａは、指掛け開口部９の取っ手領域（指掛け取っ手４８と空間５２）の約１／２である。
【００７０】
図５は、本例のプリンタ１との比較のため、従来型の給紙カセットの平面図を、二点鎖線で仮想的に示す装置本体筐体の外郭とハッチングで仮想的に示す指掛け開口部の取っ手領域の輪郭と共に示す図である。
【００７１】
従来型では、給紙カセット３ｂ´の左端面外装部５０´と装置本体筐体４４´との間隙ｂは、指掛け開口部９´の取っ手領域（ハッチング部分）をそのまま形成するだけの間隙を必要とする。図５に示す間隙ｂは、図４に示す間隙ａの約２倍である。
【実施例２】
【００７２】
図６は、実施例２に係るプリンタの下方の給紙カセットの左端部（給紙端に対して反対側端部）の形状と装置本体左端部の形状を示す図である。実施例１では、指掛け取っ手４８の取付部を、垂直の筐体フレーム４５の下端を直角に折り曲げて構成した。
【００７３】
この実施例２では、図６に示すように、垂直の筐体フレーム４５の下端は曲げ加工せずにそのままとし、代わりに、断面が逆コの字形の案内溝４６を指掛け開口部９の上端部まで下げて配置し、その案内溝４６の下方の張出部を指掛け取っ手４８の取付部とする。
【００７４】
このように本発明においては、いずれの実施例においても、装置本体を運搬するための指掛け開口部の取っ手領域を装置本体側と装置本体に装着される内部部材側とに分散させて設けるので、装置本体の設置面積を可及的に小さくしたプリンタ及びその給紙カセットが実現する。
【００７５】
本発明のいくつかの実施形態を説明したが、本発明は特許請求の範囲に記載された発明とその均等の範囲に含まれる。以下に、本願出願の当初の特許請求の範囲に記載された発明を付記する。
[付記１]
【００７６】
装置本体下部に給紙カセットを着脱自在に備えると共に、前記装置本体下部側面に前記装置本体を運搬するための指掛け開口部を備える画像形成装置において、
前記指掛け開口部は、前記給紙カセットが前記装置本体下部に装着された際に該給紙カセットの側面に対向する位置に形成され、
前記給紙カセットは、前記指掛け開口部が対向する位置にカセット側指掛け空間部を備えた、
ことを特徴とする画像形成装置。
[付記２]
【００７７】
装置本体下部側面に該装置本体を運搬するための指掛け開口部を備えた画像形成装置に着脱自在な給紙カセットにおいて、
前記画像形成装置本体に装着された際に、前記指掛け開口部に対向する位置にカセット側指掛け空間部を備える、
ことを特徴とする給紙カセット。
[付記３]
【００７８】
前記カセット側指掛け空間部は、前記給紙カセットに最大サイズの用紙が収容されたとき用紙後端位置を規制する規制部材が退避する部位の前記画像形成装置本体に対する前後に形成される、ことを特徴とする付記２記載の給紙カセット。
【産業上の利用可能性】
【００７９】
本発明は、装置本体の設置面積を可及的に小さくした画像形成装置に利用することができる。
【符号の説明】
【００８０】
１  画像形成装置（プリンタ）
２  前扉
３（３ａ、３ｂ）  給紙カセット
４  取っ手
５  操作パネル
６  排紙部
７  排紙口
８  排紙ローラ
９  指掛け開口部
１１  画像形成部
１２  ベルトユニット
１３  両面印刷用搬送ユニット
１４  給紙部
１５  定着部
１６（１６Ｍ、１６Ｃ、１６Ｙ、１６Ｋ）  画像形成ユニット
１７  感光体ドラム
１８  クリーナ
１９  帯電ローラ
２１  光書込ヘッド
２２  現像器
２３  現像ローラ
２４  トナー供給ローラ
２５  転写ベルト
２６  駆動ローラ
２７  従動ローラ
２８  ベルト位置制御機構
２９  一次転写ローラ
３１  ベルトクリーニング部
３２  廃トナー回収容器
３３  用紙取出ローラ
３４  給送ローラ
３５  捌きローラ
３６  待機搬送ローラ対
３７  二次転写ローラ
３８  搬出ローラ対
３９  排紙トレー
４１  排紙ローラ対
４２ａ  開始返送路
４２ｂ  中間返送路
４２ｃ  終端返送路
４３ａ、４３ｂ、４３ｃ、４３ｄ  返送ローラ対
４４  装置本体筐体
４５  筐体フレーム
４５ａ  張出部
４６  案内溝
４７  着脱係合レール
４８  指掛け取っ手
５０  左側面外装部
５１  切り欠き部
５２  空間
５３  左端中央内装部
５４  横規制部材
５５  右側内装部
５６  縦規制部材（用紙左端部規制部材）
５７（５７ａ、５７ｂ）  左端前後の内装部
５８（５８ａ、５８ｂ）  左端両脇内装部
５９  退避位置
【図１】
0005168392.tif 000002
【図２】
0005168392.tif 000003
【図３】
0005168392.tif 000004
【図４】
0005168392.tif 000005
【図５】
0005168392.tif 000006
【図６】
0005168392.tif 000007